(57)【要約】【課題】スタッキング収納及びハンギングが可能な椅子において、部品点数を増加させることなく、スタッキング収納時における脚及び座の損傷と、ハンギング時における脚及び天板の損傷を防止する。【解決手段】椅子１は、座２とこれを支持する脚３とを備え、脚３は前後方向に延びる左右の脚接地部３１と脚接地部３１から立ち上がった左右の脚支柱部３２とを有し、脚支柱部３２の支柱上端部３２１に取り付けられた緩衝部材５１を備える。緩衝部材５１は、脚支柱部３２の支柱上端部３２１の、スタッキング収納時に同一構成の他の椅子の座及び脚支柱部に対向する部位を覆う内向き部５１ａと、ハンギング時に天板の縁部に対向する部位を覆う前向き部５１ｂとを有している。【選択図】図１
2020168142.tif 000002
【特許請求の範囲】
【請求項１】
座とこれを支持する脚とを備え、前記脚は前後方向に延びる左右の脚接地部と前記脚接地部から立ち上がった左右の脚支柱部とを有し、上下に積み重ねてスタッキング収納可能であるとともに、前記座をテーブル等の天板上に載置して前記脚接地部を前記天板の下方で床から浮いた状態にするハンギングが可能な椅子であって、
前記脚支柱部の支柱上端部に取り付けられた緩衝部材を備え、
前記緩衝部材は、前記脚支柱部の支柱上端部の、スタッキング収納時に同一構成の他の椅子の座及び脚支柱部に対向する部位を覆う内向き部と、ハンギング時に前記天板の縁部に対向する部位を覆う前向き部とを有している、椅子。
【請求項２】
前記脚はパイプで形成されており、
前記脚支柱部の支柱上端部は、湾曲した湾曲部と、前記湾曲部の下部に連続する直線状又は略直線状の直線部とを有し、
前記緩衝部材は、前記湾曲部から前記直線部にまたがって前記支柱上端部を覆うとともに、前記直線部に設けられた緩衝部材取付穴に捩じ込まれる緩衝部材取付ねじで前記脚支柱部に固定される、請求項１に記載の椅子。
【請求項３】
前記緩衝部材は、前記直線部に前記緩衝部材取付穴とは異なる位置で設けられた緩衝部材位置決め穴に挿入される位置決め用突起を備えている、請求項２に記載の椅子。
【発明の詳細な説明】
【技術分野】
【０００１】
本発明は、椅子に関するものである。
【背景技術】
【０００２】
上下に積み重ねてスタッキング収納可能な椅子として、左右の脚の間隔を座の左右幅よりも広くすることで、上下に積み重ねてスタッキング収納可能にしたものが知られている（例えば特許文献１，２を参照）。特許文献２には、脚の上端寄り部位に、スタッキング収納時に同一構成の他の椅子の脚への接触を防止する緩衝部材（いわゆるバンパー）を設けた構成が開示されている。
【０００３】
特許文献１に開示された椅子は、座と、座下面に後方側から下方に向けて延伸した脚とを備える自立可能な椅子であって、脚は、椅子の座下面から略垂下する脚支柱部と、座と略水平に延伸される脚接地部とを有している。そして、当該椅子は、座下面と脚支柱部と脚接地部とで形成される開口空間部を利用して、テーブル等の什器の天板に椅子の座下面を載置することで椅子を天板に引っ掛けること（以下、ハンギングとも言う）が可能に構成されている。例えば、椅子をテーブルの天板にハンギングして、椅子の脚を浮かせた状態にすることで、テーブル周辺の床を清掃し易くできる。
【０００４】
また、特許文献１に開示された椅子は、座下面よりも脚支柱部の開口空間部側に下方に向けて突出した突出部を設けることで、椅子を什器の天板等にハンギングする際に、開口空間部内に位置して椅子を案内する天板は、脚支柱部よりも先に上記突出部に接触するので、什器の載置部である天板等と椅子の脚との接触が防止される。
【先行技術文献】
【特許文献】
【０００５】
【特許文献１】特開２０１８−７５０７３号公報
【特許文献２】特許第３６４２９０６号公報
【発明の概要】
【発明が解決しようとする課題】
【０００６】
しかし、特許文献１に開示された椅子は、天板へのハンギング時に椅子を持ち上げすぎると、座下面に設けた突出部が天板縁部を超えて天板上面に載置され、該突出部が天板上面を傷つける虞がある一方、脚支柱部が天板縁部に接触して脚及び天板が損傷する虞があるという問題があった。また、特許文献１に開示された椅子は、スタッキング収納時に上下の椅子間での脚同士の接触を防止するバンパーが設けられておらず、脚の塗装剥がれなどの損傷が発生する虞があった。
【０００７】
本発明は、このような現状を改善することを目的とするものである。
【課題を解決するための手段】
【０００８】
本発明の椅子は、座とこれを支持する脚とを備え、前記脚は前後方向に延びる左右の脚接地部と前記脚接地部から立ち上がった左右の脚支柱部とを有し、上下に積み重ねてスタッキング収納可能であるとともに、前記座をテーブル等の天板上に載置して前記脚接地部を前記天板の下方で床から浮いた状態にするハンギングが可能な椅子であって、前記脚支柱部の支柱上端部に取り付けられた緩衝部材を備え、前記緩衝部材は、前記脚支柱部の支柱上端部の、スタッキング収納時に同一構成の他の椅子の座及び脚支柱部に対向する部位を覆う内向き部と、ハンギング時に前記天板の縁部に対向する部位を覆う前向き部とを有しているものである。
【０００９】
本発明の椅子によれば、スタッキング収納時における脚支柱部と同一構成の他の椅子の座及び脚支柱部との接触を緩衝部材の内向き部が抑制し、同じ緩衝部材の前向き部がハンギング時における脚支柱部と天板との接触とを抑制する。このように、１つの緩衝部材にスタッキング用バンパー機能とハンギング用バンパー機能とを持たせることで、部品点数を抑えながら、スタッキング収納時における脚及び座の損傷と、ハンギング時における脚及び天板の損傷の両方を防止でき、低コストで椅子及び天板の損傷を抑制できる。
【００１０】
本発明の椅子において、前記脚はパイプで形成されており、前記脚支柱部の支柱上端部は、湾曲した湾曲部と、前記湾曲部の下部に連続する直線状又は略直線状の直線部とを有し、前記緩衝部材は、前記湾曲部から前記直線部にまたがって前記支柱上端部を覆うとともに、前記直線部に設けられた緩衝部材取付穴に捩じ込まれる緩衝部材取付ねじで前記脚支柱部に固定されるようにしてもよい。ここで、略直線状の直線部とは、当該直線部が少し湾曲しているものを含むことを意味する。
【００１１】
このような態様によれば、緩衝部材が脚支柱部の支柱上端部の湾曲部から直線部にまたがって取り付けられる構成でありながら、緩衝部材取付穴をパイプの直線部に設けることで湾曲部の強度低下を防止できるとともに、緩衝部材を緩衝部材取付ねじで確実に固定できる。
【００１２】
さらに、前記緩衝部材は、前記直線部に前記緩衝部材取付穴とは異なる位置で設けられた緩衝部材位置決め穴に挿入される位置決め用突起を備えているようにしてもよい。
【００１３】
このような態様によれば、緩衝部材位置決め穴を直線部に設けることで湾曲部の強度低下を防止しながら、緩衝部材取付ねじを回転中心とした緩衝部材の回転を防止でき、緩衝部材の取付け姿勢を確実に維持できるとともに、緩衝部材の脱落を防止できる。
【発明の効果】
【００１４】
本発明の椅子は、部品点数を増加させることなく、スタッキング収納時における脚及び座の損傷と、ハンギング時における脚及び天板の損傷を防止できる。
【図面の簡単な説明】
【００１５】
【図１】実施形態の椅子の正面図である。
【図２】同実施形態の側面図である。
【図３】同実施形態の平面図である。
【図４】同実施形態の底面図である。
【図５】同実施形態を斜め後ろから見た斜視図である。
【図６】同実施形態の座を分離して示す斜視図である。
【図７】脚支柱部の支柱上端部を一部切り欠いて示す拡大斜視図である。
【図８】スタッキング収納状態を示す側面図である。
【図９】スタッキング収納状態での緩衝部材周辺を拡大して示す正面図である。
【図１０】スタッキング収納状態での緩衝部材周辺を拡大して示す後方斜視図である。
【図１１】ハンギング状態を示す側面図である。
【図１２】図４のＡ−Ａ位置に沿った断面図である。
【図１３】前脚端緩衝部材及び脚前端部を示す縦断面図であり、（Ａ）は前脚端緩衝部材の取付状態、（Ｂ）は前脚端緩衝部材の取付け前の状態を示す。
【図１４】後脚端緩衝部材及び脚後端部を示す縦断面図である。
【図１５】後脚端緩衝部材及び脚後端部を分離して示す縦断面図である。
【発明を実施するための形態】
【００１６】
次に、本発明の実施形態を図面に基づいて説明する。以下の説明で、方向を特定するため前後・左右の文言を使用するが、これは、椅子に普通に腰掛けた人から見た状態として定義している。正面視は、椅子の着座者と対向した姿勢である。
【００１７】
図１〜図６に示すように、本実施形態の椅子１は、座２と、座２を支持する脚３と、座２に連結した背もたれ４とを備えている。
【００１８】
脚３は、金属パイプを曲げ加工して成るもので、前後方向に延びる左右の脚接地部３１と、脚接地部３１の後端部から立ち上がった左右の脚支柱部３２と、脚支柱部３２の支柱上端部３２１に連続する左右の座受け部３３とを備えている。本実施形態では、左右の脚接地部３１、脚支柱部３２及び座受け部３３は、それぞれ１本の金属パイプで形成され、左右の座受け部３３の端部同士が溶接又は連結部材を介して連結されることで、左右の金属パイプが一体化されて脚３が形成されている。
【００１９】
左右の脚接地部３１の間隔及び左右の脚支柱部３２の間隔は、座受け部３３に取り付けられる座２の左右幅よりも広く設けられている。これにより、図８〜図９に示すように、下側の椅子１の座２上に上側の椅子１の座２を載置することで、複数の椅子１を上下に積み重ねてスタッキング収納可能に構成されている。
【００２０】
また、脚３において、脚接地部３１、脚支柱部３２及び座受け部３３は、側面視で前向きに開口する略コ字状の形態を有している。これにより、図１１に示すように、座２をテーブル等の什器の天板１００上に載置して脚接地部３１を天板１００の下方で床から浮いた状態にするハンギングを可能に構成されている。
【００２１】
左右の脚接地部３１は互いに平行に設けられ、脚接地部３１の中途部前寄り部位同士は左右方向に延びる脚連結部３４で連結されている。脚連結部３４の端部は、脚接地部３１に例えば溶接にて固着されている。
【００２２】
脚支柱部３２は、脚接地部３１の後端部から上向きに湾曲する支柱下端部３２２と、支柱下端部３２２からやや前向きに傾斜して上向きに延びる支柱中間部３２３と、支柱中間部３２３から前向きに湾曲する支柱上端部３２１とを有する。支柱上端部３２１は、平面視で左右内向きに傾斜して座２に向けて延びている。
【００２３】
座受け部３３は、略水平（本実施形態ではやや前上がり）に設けられており、脚支柱部３２の支柱上端部３２１から左右内向き斜め前方向に延びた後、左右外向きに湾曲して左右外向き斜め前方向に延び、さらに左右内向きに湾曲して左右内向き方向に延びている。左右の座受け部３３の前端部同士は、椅子１の前寄り位置かつ左右中央位置で突き合わされて連結されている。
【００２４】
脚３は、座２に着座した使用者の体重移動でしなるように構成されており、使用者が前傾姿勢で椅子１に着座しているときに、脚３のしなりで座２が前傾する（前低後高姿勢になる）ことで、椅子１の使用感を向上している。
【００２５】
図７に示すように、左右の脚支柱部３２の支柱上端部３２１は、湾曲した湾曲部３２１ａと、湾曲部３２１ａの下部に連続する直線部３２１ｂとを有し、支柱上端部３２１には、スタッキング収納時及ハンギング時における脚３等の損傷を防止する緩衝部材５１が湾曲部３２１ａから直線部３２１ｂにまたがって取り付けられている。なお、直線部３２１ｂは、完全な直線状のものに限らず、少し湾曲していてもよい。
【００２６】
緩衝部材５１は、樹脂製であり、半割円筒の一端部側が支柱上端部３２１の湾曲形状に合わせて湾曲した形態を有する。緩衝部材５１は、スタッキング収納時（図８〜図１０参照）に同一構成の他の椅子１の座２及び脚支柱部３２に対向する支柱上端部３２１の部位を覆う内向き部５１ａと、ハンギング時（図１１参照）に天板１００の縁部に対向する支柱上端部３２１の部位を覆う前向き部５１ｂとを有する。
【００２７】
緩衝部材５１は、支柱上端部３２１の湾曲部３２１ａから直線部３２１ｂにまたがって支柱上端部３２１に取り付いている。緩衝部材５１の中央部には、緩衝部材取付ねじ５１１の軸部を挿通可能な緩衝部材取付ねじ挿通穴５１ｃが設けられている。緩衝部材５１は、直線部３２１ｂの左右内向き面部に設けられた緩衝部材取付穴３２１ｃに緩衝部材取付ねじ挿通穴５１ｃを介して捩じ込まれる緩衝部材取付ねじ５１１で脚支柱部３２の支柱上端部３２１に着脱可能に固定される。緩衝部材５１の外面において緩衝部材取付ねじ挿通穴５１ｃの周囲はザグリ穴状に形成されて緩衝部材取付ねじ５１１の頭部を収容可能に構成されており、緩衝部材５１の外面から緩衝部材取付ねじ５１１の頭部が突出しないように構成されている。
【００２８】
また、直線部３２１ｂの左右内向き面部には、緩衝部材取付穴３２１ｃの下方に緩衝部材位置決め穴３２１ｄが設けられており、緩衝部材５１の内面には、緩衝部材５１を脚支柱部３２に取り付けた状態で緩衝部材位置決め穴３２１ｄに挿入される位置決め用突起５１ｄが設けられている。
【００２９】
本実施形態の椅子１によれば、スタッキング収納時における脚支柱部３２と、同一構成の他の椅子１の座２及び脚支柱部３２との接触を緩衝部材５１の内向き部５１ａが抑制し、同じ緩衝部材５１の前向き部５１ｂがハンギング時における脚支柱部３２と天板１００との接触とを抑制する。このように、１つの緩衝部材５１にスタッキング用バンパー機能とハンギング用バンパー機能とを持たせることで、部品点数を抑えながら、スタッキング収納時における脚３及び座２の損傷と、ハンギング時における脚３及び天板１００の損傷の両方を防止でき、低コストで椅子１及び天板１００の損傷を抑制できる。
【００３０】
また、椅子１では、脚３はパイプで形成されており、脚支柱部３２の支柱上端部３２１は、湾曲した湾曲部３２１ａと、湾曲部３２１ａの下部に連続する直線部３２１ｂとを有し、緩衝部材５１は、湾曲部３２１ａから直線部３２１ｂにまたがって支柱上端部３２１を覆うとともに、直線部３２１ｂに設けられた緩衝部材取付穴３２１ｃに捩じ込まれる緩衝部材取付ねじ５１１で脚支柱部３２に固定される。これにより、緩衝部材５１が脚支柱部３２の支柱上端部３２１の湾曲部３２１ａから直線部３２１ｂにまたがって取り付けられる構成でありながら、緩衝部材取付穴３２１ｃを直線部３２１ｂに設けることで湾曲部３２１ａの強度低下を防止できるとともに、緩衝部材５１を緩衝部材取付ねじ５１１で確実に固定できる。
【００３１】
さらに、椅子１では、緩衝部材５１は、直線部３２１ｂに緩衝部材取付穴３２１ｃとは異なる位置で設けられた緩衝部材位置決め穴３２１ｄに挿入される位置決め用突起５１ｄを備えている。このように、緩衝部材位置決め穴３２１ｄを直線部３２１ｂに設けることで湾曲部３２１ａの強度低下を防止しながら、緩衝部材取付ねじ５１１を回転中心とした緩衝部材５１の回転を防止でき、緩衝部材５１の取付け姿勢を確実に維持できるとともに、緩衝部材５１の脱落を防止できる。
【００３２】
次に、図１２等を参照しながら、座２の構成について説明する。座２は、座受け部３３上に取り付けられる座アウター部材２１と、座アウター部材２１上に取り付けられる座インナー部材２２と、座インナー部材２２の上面を覆う座クッション部材２３と、座クッション部材２３を覆う表皮材２４と、座受け部３３下に取り付けられる座下カバー部材２５とを備える。なお、図１から図１０では、表皮材２４の図示を省略している。
【００３３】
座アウター部材２１は、中央部が開口した樹脂製の略板状枠体であり、左右の座受け部３３の前端部及び後端部に上下方向に貫通して設けた４箇所の座アウター取付ねじ挿通穴３３ａに下方から挿通される座アウター取付ねじ２１１が、座アウター部材２１に設けたアウターナット部材２１２に捩じ込まれることで、座受け部３３の上面に固定される。
【００３４】
座インナー部材２２は、樹脂製であり、略板状の形態を有し、座インナー部材２２の中央部には、座２への着座者の体圧による撓み変形を容易にするための複数のスリットが形成されている。座インナー部材２２の上面には、ウレタン等の弾性体からなる座クッション部材２３がインサート成形により固着（接着）されている。座クッション部材２３の表面には表皮材２４が張られている。
【００３５】
座インナー部材２２は、座アウター部材２１の四隅部に上下方向に貫通して設けた４箇所の座インナー取付ねじ挿通穴２１ａに下方から挿通される座インナー取付ねじ２２１が、座インナー部材２２に設けたインナーナット部材２２２に捩じ込まれることで、座アウター部材２１の上面に固定される。
【００３６】
座下カバー部材２５は、樹脂製であり、上面が開口した略四角箱状の形態を有し、内部に脚３の座受け部３３を収容している。座下カバー部材２５は、スタッキング収納時及びハンギング時に、他の椅子１の座２上面又は天板１００上面に底部が接触することで、座受け部３３が他の椅子１の座２又は天板１００に接触するのを防止する機能を有する。座下カバー部材２５の下面中央に平坦面部２５ｄが形成されており、椅子１の座２を天板１００上に載置してハンギングした時に、座下カバー部材２５下面の平坦面部２５ｄが天板１００上面に接触することで、椅子１のぐらつき（揺れ）を防止し、椅子１の落下を抑制している。
【００３７】
座下カバー部材２５は、左右の座受け部３３の前端部下面及び後端部下面に設けた４箇所の座下カバー取付穴３３ｂに対応して座下カバー部材２５に設けた座下カバー取付ねじ挿通穴２５ａに下方から挿通される座下カバー取付ねじ２５１が、座受け部３３下面の座下カバー取付穴３３ｂに捩じ込まれることで、座受け部３３の下面に固定される。
【００３８】
座下カバー部材２５には、座下カバー部材２５底部上面から座インナー取付ねじ２２１の取付け位置に向けて上向きに突出する４つのボス部２５ｂと、座下カバー部材２５を上下方向に貫通してボス部２５ｂに設けた座インナーねじ取付用穴２５ｃとが設けられている。座インナーねじ取付用穴２５ｃは、座インナー取付ねじ２２１の頭部を挿通可能な大きさに設けられており、座インナーねじ取付用穴２５ｃにドライバー等の工具の先端部を挿入することで、座インナー取付ねじ２２１の締緩作業を行える。これにより、座下カバー部材２５を取り外すことなく、座アウター部材２１から座インナー部材２２を取り外すことができ、座インナー部材２２及び座クッション部材２３や表皮材２４の交換作業が容易になる。
【００３９】
なお、座２として、座アウター部材２１に替えて、中央部に開口部がなくて使用者が直接着座する、いわゆるヌードタイプの座アウター部材を座受け部３３に取り付けてもよい。
【００４０】
次に、図１〜図５を参照しながら、背もたれ４について説明する。背もたれ４の左右両端部には下向きに開口した筒部４１が形成されている。脚３の左右の座受け部３３には、側面視略Ｌ字状の背固定部材４２が例えば溶接にて固着されている。左右の背固定部材４２は、金属パイプ製で、背固定部材４２の水平部は座受け部３３の中途部から後端部に沿って座受け部３３の左右内側に配置されるとともに座受け部３３に固着されており、水平部の後端部から立ち上がった背固定部材４２の立ち上がり部に、背もたれ４の筒部４１を挿入して、背もたれ取付ねじ４３で固定している。
【００４１】
背もたれ４の左右の筒部４１の下端部は、座２の座アウター部材２１の後部側の左右両角部にねじ（図示省略）で固着されており、本実施形態では、座アウター部材２１と背もたれ４とが一体化されている。
【００４２】
次に、図１３等を参照しながら、脚３の左右の脚接地部３１の前後両端部に取り付けた緩衝部材について説明する。
【００４３】
脚接地部３１の前後両端部には、金属パイプ製の脚接地部３１が床面に接触するのを防止する前脚端緩衝部材６１と後脚端緩衝部材７１とが取り付けられている。詳細は後述するが、後脚端緩衝部材７１は、脚接地部３１の脚後端部３１２から脚支柱部３２の支柱下端部３２２にわたって取り付けられている。
【００４４】
図１３等に示すように、前脚端緩衝部材６１は、樹脂製であり、脚接地部３１の脚前端部３１１の下部を支持する底部６２と、脚前端部３１１の前端を覆う前部６３と、脚前端部３１１の側面下半部を覆う左右の側部６４とを有する。
【００４５】
前脚端緩衝部材６１の底部６２の後部寄り部位に上下方向に貫通する底部取付ねじ挿通穴６２ａが形成され、脚前端部３１１の下面に形成した底部取付ねじ取付穴３１１ａに、底部取付ねじ挿通穴６２ａを介して底部取付ねじ６５を捩じ込むことで、前脚端緩衝部材６１が脚前端部３１１に固定される。底部取付ねじ６５の頭部は、底部取付ねじ挿通穴６２ａの下端に連続して形成されて底部６２の底面に開口する頭部収容部６２ｂに収容され、底部取付ねじ６５の頭部が床面に接触しないように構成されている。
【００４６】
底部６２の中途部には、上下方向に貫通する支持部材取付穴６２ｃが形成されており、プラパート（登録商標）などの支持部材８０の軸部を支持部材取付穴６２ｃに圧入することで、底部６２の下面に支持部材８０を取付け可能に構成されている。底部６２の下面よりも下向きに突出する支持部材８０の底部（床面と接触する部分）の素材は、樹脂製や金属製、フェルト製など、床材に応じて適宜選択可能になっている。なお、脚前端部３１１の下面には、支持部材取付穴６２ｃの上方に、支持部材８０の軸先端部を挿通可能な挿通穴３１１ｂが設けられている。
【００４７】
前脚端緩衝部材６１の前部６３は、パイプ状の脚前端部３１１の前端開口を塞ぐように構成されている。脚前端部３１１の前端下部には、前脚端緩衝部材６１の前部６３から後向きに突設した係合突起部６３ａが係合する切欠き凹部３１１ｃが設けられている。なお、係合突起部６３ａは底部６２の前端部位上面にも連続している。また、前部６３には、係合突起部６３ａよりもさらに後方に突出する下方移動規制突起部６３ｂが設けられている。
【００４８】
前脚端緩衝部材６１の取付け時には、脚前端部３１１の前方から下方移動規制突起部６３ｂを脚前端部３１１内部に挿入するとともに、係合突起部６３ａを切欠き凹部３１１ｃに嵌め込んだ上で、底部取付ねじ挿通穴６２ａを介して底部取付ねじ６５を底部取付ねじ取付穴３１１ａに捩じ込んで、前脚端緩衝部材６１を脚前端部３１１に固定する。前脚端緩衝部材６１の底部６２の後部は、底部取付ねじ６５で下方移動及び脚前端部３１１回りの回動が禁止される。前脚端緩衝部材６１の前部６３は、脚前端部３１１の前端下部の直上に位置する下方移動規制突起部６３ｂで下方移動が禁止されるとともに、係合突起部６３ａが切欠き凹部３１１ｃに係合することで、脚前端部３１１回りの回動が禁止される。
【００４９】
このように、本実施形態の椅子１における前脚端緩衝部材６１の取付け構造は、１つの底部取付ねじ６５で、前脚端緩衝部材６１の前寄り部位及び後寄り部位の下方移動及び脚前端部３１１回りの回動を禁止でき、少ない工数かつ低コストで、前脚端緩衝部材６１の脚前端部３１１に対する脱落及び変位を防止できる。
【００５０】
次に、図１４及び図１５等を参照しながら、後脚端緩衝部材７１について説明する。後脚端緩衝部材７１は、脚接地部３１の脚後端部３１２と脚支柱部３２の支柱下端部３２２とに重なるように側面視で略Ｌ字状に形成されている。
【００５１】
後脚端緩衝部材７１は、樹脂製であり、脚接地部３１の脚後端部３１２の下部と脚支柱部３２の支柱下端部３２２の前寄り部位下部とを支持する底部７２と、支柱下端部３２２の後方を覆う後部７３と、支柱下端部３２２側面の湾曲外側部位を覆う左右の側部７４とを有する。
【００５２】
後脚端緩衝部材７１の底部７２の前部寄り部位に上下方向に貫通する底前部取付ねじ挿通穴７２ａが形成され、脚後端部３１２の下面に形成した底前部取付ねじ取付穴３１２ａに、底前部取付ねじ挿通穴７２ａを介して底前部取付ねじ７５を捩じ込むことで、後脚端緩衝部材７１の前部が脚後端部３１２に固定される。底前部取付ねじ７５の頭部は、底前部取付ねじ挿通穴７２ａの下端に連続して形成されて底部７２の底面に開口する頭部収容部７２ｂに収容され、底前部取付ねじ７５の頭部が床面に接触しないように構成されている。
【００５３】
底部７２の中途部には、脚支柱部３２の支柱下端部３２２中途部の湾曲外側面に溶接にて固着されたナット部材３２４に向けて上斜め前向きに貫通する底中途部取付ねじ挿通穴７２ｃが形成されており、ナット部材３２４に、底中途部取付ねじ挿通穴７２ｃを介して底中途部取付ねじ７６を捩じ込むことで、後脚端緩衝部材７１の中途部が支柱下端部３２２に固定される。底中途部取付ねじ７６の頭部は、底中途部取付ねじ挿通穴７２ｃの下端に連続して形成されて底部７２の底面に開口する頭部収容部７２ｄに収容され、底中途部取付ねじ７６の頭部が床面に接触しないように構成されている。
【００５４】
後脚端緩衝部材７１は、底前部取付ねじ７５及び底中途部取付ねじ７６の２本のねじで脚接地部３１の脚後端部３１２及び脚支柱部３２の支柱下端部３２２に強固に取り付けられる。また、底前部取付ねじ７５は直線状の金属製パイプからなる脚後端部３１２に設けた底前部取付ねじ取付穴３１２ａに捩じ込まれる一方、底中途部取付ねじ７６は湾曲する金属製パイプからなる支柱下端部３２２の外面に固着したナット部材３２４に捩じ込まれるので、湾曲する支柱下端部３２２の強度を低下させることなく、後脚端緩衝部材７１を取り付けることができる。
【００５５】
底部７２の後部には、支持部材８０の軸部を保持する支持部材取付穴７２ｅが形成されており、支持部材８０の軸部を支持部材取付穴７２ｅに圧入することで、前脚端緩衝部材６１と同様に、底部７２の下面に支持部材８０を取付け可能に構成されている。
【００５６】
後脚端緩衝部材７１の後部７３は、内部が中空状に形成され、左右方向に撓み変形可能に構成されている。図２の正面図に示すように、脚３の脚支柱部３２の支柱下端部３２２及び支柱中間部３２３は、上部側ほど左右内側に位置するように、左右内向きに少し傾斜しており、支柱下端部３２２に取り付けた後脚端緩衝部材７１の後部７３が支柱下端部３２２の傾斜に沿って撓み変形することで、後部７３の左右両側部から前向きに延びる左右の側部７４が支柱下端部３２２を挟み込むように構成されている。これにより、左右の脚支柱部３２で後脚端緩衝部材７１を共通化でき、コスト低減を図れる。
【００５７】
以上、本発明の実施形態を説明したが、本発明は他にも様々に具体化でき、本発明の趣旨を逸脱しない範囲で、種々の変更が可能である。
【符号の説明】
【００５８】
１  椅子
２  座
３  脚
３１  脚接地部
３２  脚支柱部
３３  座受け部
３４  脚連結部
５１  緩衝部材
５１ａ  内向き部
５１ｂ  前向き部
５１ｃ  緩衝部材取付ねじ挿通穴
５１ｄ  位置決め用突起
１００  天板
３２１  支柱上端部
３２１ａ  湾曲部
３２１ｂ  直線部
３２１ｃ  緩衝部材取付穴
３２１ｄ  緩衝部材位置決め穴
３２２  支柱下端部
３２３  支柱中間部
５１１  緩衝部材取付ねじ
【図１】
2020168142.tif 000003
【図２】
2020168142.tif 000004
【図３】
2020168142.tif 000005
【図４】
2020168142.tif 000006
【図５】
2020168142.tif 000007
【図６】
2020168142.tif 000008
【図７】
2020168142.tif 000009
【図８】
2020168142.tif 000010
【図９】
2020168142.tif 000011
【図１０】
2020168142.tif 000012
【図１１】
2020168142.tif 000013
【図１２】
2020168142.tif 000014
【図１３】
2020168142.tif 000015
【図１４】
2020168142.tif 000016
【図１５】
2020168142.tif 000017